(57)【要約】【課題】飲食店の予約が直前にキャンセルされた際、特定の者にその空席情報が即時的に通知され、即時予約ができて空席を即時補充するシステムを提供する。【解決手段】飲食店３で予約が直前にキャンセルされた際、飲食店３から予約サーバ装置２に空席情報６が伝達され、その空席情報６が予約サーバ装置２から会員サーバ装置１に伝達されると共に、チャット型即時通信アプリ４を通じて会員５の端末機器３０にその空席情報６のメッセージが即時通知され、所望の空席情報６を閲覧した前記会員５により予約サーバ装置２の店舗ページ２０上で予約され、即時的に空席が補充される。【選択図】図１
2018181241.tif 000002
【特許請求の範囲】
【請求項１】
予約サーバ装置を備え、飲食店の座席の予約が直前にキャンセルされて空席が生じた際、チャット型即時通信アプリを通じて会員にその空席情報が即時通知され、即時予約して空席が補充される即時補充システムであって、
前記予約サーバ装置は、直前のキャンセルにより生じた空席情報を飲食店から買い取った買取情報を記録する買取データベースと、同買取データベースに連携される前記会員のデータベース及び予約データベースを管理する機能を含み、前記会員は、前記チャット型即時通信アプリに予めユーザー登録されていると共に、前記予約サーバ装置と情報伝達自在に接続されており、飲食店で予約が直前にキャンセルされた際、飲食店から予約サーバ装置に空席情報が伝達され、チャット型即時通信アプリを通じて会員の端末機器にその空席情報のメッセージが即時通知され、所望の空席情報を閲覧した前記会員によって予約サーバ装置の店舗ページ上で予約され、即時的に空席が補充自在に構成されていることを特徴とするキャンセル座席の即時補充システム。
【請求項２】
会員サーバ装置と予約サーバ装置を備え、飲食店の座席の予約が直前にキャンセルされて空席が生じた際、チャット型即時通信アプリを通じて会員にその空席情報が即時通知され、即時予約して空席が補充される即時補充システムであって、
前記会員サーバ装置は、前記会員の情報に関するデータベースを記録する会員データベースと、飲食店の予約の情報に関するデータベースを記録する予約データベースを管理する機能と、インターネットに接続するＷｅｂサーバを含んでいること、
前記予約サーバ装置は、直前のキャンセルにより生じた空席情報を飲食店から買い取った買取情報を記録する買取データベースを管理する機能と、予約ページを設定する機能を含み、前記会員サーバ装置における会員データベースと予約データベースが前記買取データベースと連携されて、前記予約ページが設定自在であること、
前記会員は、前記チャット型即時通信アプリに予めユーザー登録されていると共に、前記会員サーバ装置と情報伝達自在に接続されていること、
飲食店で予約が直前にキャンセルされた際、飲食店から前記予約サーバ装置に空席情報が伝達され、その空席情報が予約サーバ装置から会員サーバ装置に伝達されると共に、チャット型即時通信アプリを通じて会員の端末機器にその空席情報のメッセージが即時通知され、所望の空席情報を閲覧した前記会員によって予約サーバ装置の店舗ページ上で予約され、即時的に空席が補充自在に構成されていること、
を特徴とするキャンセル座席の即時補充システム。
【請求項３】
直前にキャンセルされて空席が生じた飲食店から予約サーバ装置に空席情報が伝達され、その空席情報が予約サーバ装置から会員サーバ装置に伝達された後、前記飲食店に適した会員がリスト抽出され、そのリスト抽出された会員の端末機器にのみチャット型即時通信アプリを通じて前記空席情報のメッセージが即時通知されることを特徴とする、請求項１又は２に記載したキャンセル座席の即時補充システム。
【請求項４】
チャット型即時通信アプリを通じて会員の端末機器に飲食店の空席情報のメッセージが即時通知され、会員が所望の前記空席情報を閲覧し、予約サーバ装置の店舗ページ上で予約する際、既に満席となっていた場合、同日に予約可能な他の飲食店が表示される構成であることを特徴とする、請求項１〜３のいずれか１項に記載したキャンセル座席の即時補充システム。
【請求項５】
チャット型即時通信アプリを通じて会員の端末機器に飲食店の空席情報のメッセージが即時通知され、所望の前記空席情報を閲覧した会員によって予約サーバ装置の店舗ページ上で予約され、即時的に空席が補充された後、前記会員のスコアリングが行われ、その会員の情報が前記予約された飲食店の情報に紐付けされる構成であることを特徴とする、請求項１〜４のいずれか１項に記載したキャンセル座席の即時補充システム。
【請求項６】
飲食店が、予約の取りにくい優良な飲食店であることを特徴とする、請求項１〜５のいずれか１項に記載したキャンセル座席の即時補充システム。
【請求項７】
チャット型即時通信アプリが、ＬＩＮＥ（登録商標）であることを特徴とする、請求項１〜５のいずれか１項に記載したキャンセル座席の即時補充システム。
【請求項８】
会員が、ダイナースクラブ（登録商標）等の優良な会員であることを特徴とする、請求項１〜５のいずれか１項に記載したキャンセル座席の即時補充システム。
【請求項９】
予約サーバ装置の予約・決済ページ上での予約時に、クレジットカードによってオンライン決済される構成であることを特徴とする、請求項１〜５のいずれか１項に記載したキャンセル座席の即時補充システム。
【請求項１０】
オンライン決済のクレジットカードが、ダイナース（登録商標）カードであることを特徴とする、請求項９に記載したキャンセル座席の即時補充システム。
【請求項１１】
飲食店の予約のキャンセルが、直前ではなく行われた場合であることを特徴とする、請求項１〜６のいずれか１項に記載したキャンセル座席の即時補充システム。
【請求項１２】
飲食店の座席の予約に代えて、ゴルフ、美容院、理髪店、マッサージ店、列車、飛行機、船舶、自動車、映画館、劇場、コンサート会場、花見会場、アトラクション、スタジアム、競技場、花火会場、祭り、パレードの各座席の予約であることを特徴とする、請求項１〜６のいずれか１項に記載したキャンセル座席の即時補充システム。
【請求項１３】
飲食店の座席の予約に代えて、ホテル、旅館、病院、公営又は私営の施設の各部屋の予約であることを特徴とする、請求項１〜６のいずれか１項に記載したキャンセル座席の即時補充システム。
【発明の詳細な説明】
【技術分野】
【０００１】
この発明は、キャンセル座席の即時補充システムに関し、特には、予約のとりにくい優良飲食店で既に予約されていた座席が、直前若しくはそれ以前にキャンセルされた場合、特定の会員にその空席情報が即時的に通知され、即時予約を可能にし、空席を可及的速やかに補充する即時補充システムの技術分野に属する。
【背景技術】
【０００２】
近年、グルメ志向はより一層高まり、有名な飲食レストランを予約するのは至難な業となっている。しかも、外国人客の来訪も相俟って、高級店の予約は非常に激化している。
一方、予約で埋まる飲食店にとって、避けることのできないリスクは、通称「ドタキャン」とも言われる「直前のキャンセル」である。そのような予約済みの座席が直前にキャンセルされると、店側としては、予約の人数、内容等に応じて仕入れた食材のロスなど、直前のキャンセルによるダメージは、高級店になればなるほど甚大である。
【０００３】
このような飲食店の予約に関連し、例えば下記特許文献１（請求項１）には、「利用者が利用する利用者端末に対して、日時やシーンに応じたプランの情報をネットワークを介して提供可能な飲食店プラン提供システムであって、前記飲食店プラン提供システムは、前記飲食店の属性情報と前記飲食店が提供する日時やシーンに応じたプランに関する情報とを記憶する飲食店情報記憶手段と、前記プランに対する利用者からの予約に関する情報を記憶する予約情報記憶手段と、前記飲食店が設定したプランに関する情報を前記飲食店端末から受信し、前記飲食店情報記憶手段に記憶するプラン受付手段と、前記プランの検索条件を前記利用者端末から受信し、前記飲食店情報記憶手段から前記検索条件に一致するプランがあるか否かを検索し、その検索結果を前記利用者端末に送信するプラン検索手段と、前記利用者が選択した一のプランに対する予約に関する情報を前記利用者端末から受信し、前記予約情報記憶手段に記憶することで予約を登録する予約受付手段と、を有することを特徴とする飲食店プラン提供システム。」が開示されている。
【０００４】
また、同特許文献１の請求項２には、「前記飲食店プラン提供システムは、更に、予約済みのプランに対するキャンセル申込の情報を前記利用者端末から受信し、前記飲食店情報記憶手段に記憶する前記プランに関する情報を参照することでキャンセル可能か否かを判定し、キャンセル可能ならば前記予約をキャンセル扱いとしてキャンセルしたことを前記利用者端末に送信し、キャンセル不可能ならばその旨を前記利用者端末に送信する予約内容確認手段、を有することを特徴とする請求項１に記載の飲食店プラン提供システム。」が記載されている。
【先行技術文献】
【特許文献】
【０００５】
【特許文献１】特開２００６−３３８０７５号公報
【発明の概要】
【発明が解決しようとする課題】
【０００６】
前記特許文献１の飲食店プラン提供システムは、飲食店の売上げを向上させるために、閑散期や繁忙期など日時やシーンに応じたプランを提供し、それに対する予約を受け付けることで、飲食店の売上げを向上させる上では一定の効果があるかもしれない（同文献の請求項１）。しかし、それはあくまでより多くの予約を確保するためで、その予約がキャンセルされた場合の措置を講じるものではない。
また、同文献の請求項２にかかるシステムは、予約済みのプランに対しキャンセル可能か否かを判定し、キャンセル可能ならば、キャンセルしたことを利用者端末に送信できるが、キャンセルされた後の手立てはない。そのため、キャンセルされた飲食店の損害を埋めることはできない。
【０００７】
一方、上記のような飲食店で直前のキャンセルが生じた場合に、クーポンサイト等を通じたディスカウントによって安易な緊急の集客を行えば、それは、いたずらなプライスシーカー層の誘店を招くだけである。かくして、直前キャンセルによるリスクは、高級店においては極めて解決が困難な問題となっている。
【０００８】
本発明は、上記課題に鑑みて案出されたものであり、その目的とするところは、とりわけ、予約のとりにくい優良飲食店で、予約されていた座席が直前等にキャンセルされた際、特定の者の端末機器にその空席情報が即時的に通知され、即時予約ができて空席が補充され、優良店にとっても、来店したい者にとってもお互い利益のある、全く新しい飲食プラットフォームを実現するキャンセル座席の即時補充システムを提供することにある。
【課題を解決するための手段】
【０００９】
上記課題を解決するための手段として、請求項１に記載した発明にキャンセル座席の即時補充システムは、予約サーバ装置２を備え、飲食店３の座席の予約が直前にキャンセルされて空席が生じた際、チャット型即時通信アプリ４を通じて会員５にその空席情報６が即時通知され、即時予約して空席が補充される即時補充システムであって、
前記予約サーバ装置２は、直前のキャンセルにより生じた空席情報６を飲食店３から買い取った買取情報７を記録する買取データベース８と、同買取データベース８に連携される前記会員５のデータベース１０及び予約データベース１１を管理する機能を含み、前記会員５は、前記チャット型即時通信アプリ４に予めユーザー登録されていると共に、前記予約サーバ装置２と情報伝達自在に接続されており、飲食店３で予約が直前にキャンセルされた際、飲食店３から予約サーバ装置２に空席情報６が伝達され、チャット型即時通信アプリ４を通じて会員５の端末機器３０にその空席情報６のメッセージが即時通知され、所望の空席情報６を閲覧した前記会員５によって予約サーバ装置２の店舗ページ２０上で予約され、即時的に空席が補充自在に構成されていることを特徴とする。
【００１０】
請求項２に記載した発明のキャンセル座席の即時補充システムは、会員サーバ装置１と予約サーバ装置２を備え、飲食店３の座席の予約が直前にキャンセルされて空席が生じた際、チャット型即時通信アプリ４を通じて会員５にその空席情報６が即時通知され、即時予約して空席が補充される即時補充システムであって、
前記会員サーバ装置１は、前記会員５の情報に関するデータベースを記録する会員データベース１０と、飲食店３の予約の情報に関するデータベースを記録する予約データベース１１を管理する機能と、インターネットに接続するＷｅｂサーバ１２を含んでいること、
前記予約サーバ装置２は、直前のキャンセルにより生じた空席情報６を飲食店３から買い取った買取情報７を記録する買取データベース８を管理する機能と、予約自在な予約ページ９を設定する機能を含み、前記会員サーバ装置１における会員データベース１０と予約データベース１１が前記買取データベース８と連携されて、前記予約ページ９が設定自在であること、
前記会員５は、前記チャット型即時通信アプリ４に予めユーザー登録されていると共に、前記会員サーバ装置１と情報伝達自在に接続されていること、
飲食店３で予約が直前にキャンセルされた際、飲食店３から前記予約サーバ装置２に空席情報６が伝達され、その空席情報６が予約サーバ装置２から会員サーバ装置１に伝達されると共に、チャット型即時通信アプリ４を通じて会員５の端末機器３０にその空席情報６のメッセージが即時通知され、所望の空席情報６を閲覧した前記会員５によって予約サーバ装置２の店舗ページ２０上で予約され、即時的に空席が補充自在に構成されていることを特徴とする。
【００１１】
請求項３に記載した発明のキャンセル座席の即時補充システムは、前記直前にキャンセルされて空席が生じた飲食店３から予約サーバ装置２に空席情報６が伝達され、その空席情報６が予約サーバ装置２から会員サーバ装置１に伝達された後、前記飲食店３に適した会員５がリスト抽出され、そのリスト抽出された会員５の端末機器３０にのみチャット型即時通信アプリ４を通じて前記空席情報６のメッセージが即時通知されることを特徴とする。
【００１２】
請求項４に記載した発明のキャンセル座席の即時補充システムは、前記チャット型即時通信アプリ４を通じて会員５の端末機器３０に飲食店３の空席情報６のメッセージが即時通知され、会員５が所望の前記空席情報６を閲覧し、予約サーバ装置２の店舗ページ２０上で予約する際、既に満席となっていた場合、同日に予約可能な他の飲食店３が表示される構成であることを特徴とする。
【００１３】
請求項５に記載した発明のキャンセル座席の即時補充システムは、前記チャット型即時通信アプリ４を通じて会員５の端末機器３０に飲食店３の空席情報６のメッセージが即時通知され、所望の前記空席情報６を閲覧した会員５によって予約サーバ装置２の店舗ページ２０上で予約され、即時的に空席が補充された後、前記会員５のスコアリングが行われ、その会員５の情報が前記予約された飲食店３の情報に紐付けされる構成であることを特徴とする。
【００１４】
請求項６に記載した発明のキャンセル座席の即時補充システムは、前記飲食店３が、予約の取りにくい優良な飲食店であることを特徴とする。
【００１５】
請求項７に記載した発明のキャンセル座席の即時補充システムは、前記チャット型即時通信アプリ４が、ＬＩＮＥ（登録商標）であることを特徴とする。
【００１６】
請求項８に記載した発明のキャンセル座席の即時補充システムは、前記会員５が、ダイナースクラブ（登録商標）等の優良な会員であることを特徴とする。
【００１７】
請求項９に記載した発明のキャンセル座席の即時補充システムは、前記予約サーバ装置２の予約・決済ページ２１上での予約時に、クレジットカード１５によってオンライン決済される構成であることを特徴とする。
【００１８】
請求項１０に記載した発明のキャンセル座席の即時補充システムは、前記オンライン決済のクレジットカード１５が、ダイナース（登録商標）カードであることを特徴とする。
【００１９】
請求項１１に記載した発明のキャンセル座席の即時補充システムは、前記飲食店３の予約のキャンセルが、直前ではなく行われた場合であることを特徴とする。
【００２０】
請求項１２に記載した発明のキャンセル座席の即時補充システムは、前記飲食店３の座席の予約に代えて、ゴルフ、美容院、理髪店、マッサージ店、列車、飛行機、船舶、自動車、映画館、劇場、コンサート会場、花見会場、アトラクション、スタジアム、競技場、花火会場、祭り、パレードの各座席の予約であることを特徴とする。
【００２１】
請求項１３に記載した発明のキャンセル座席の即時補充システムは、前記飲食店３の座席の予約に代えて、ホテル、旅館、病院、公営又は私営の施設の各部屋の予約であることを特徴とする。
【発明の効果】
【００２２】
本発明のキャンセル座席の即時補充システムは、飲食店の座席の予約がとりわけ直前にキャンセルされて空席が生じた際、ＬＩＮＥ（登録商標）等のチャット型即時通信アプリを通じて、会員の端末機器にその空席情報が即時通知されるので、その空席情報を受領し興味のある会員はすぐに予約ができ、通常予約のとりにくい優良レストランに出向くことができる。飲食店にとっても、予約に応じて仕入れた食材のロスを必要最小限に留められて営業できる。しかも直前に予約した当該会員を、その後も当該優良店に送客できる利便性に優れている。
【図面の簡単な説明】
【００２３】
【図１】本発明のフローチャートを含むシステム構成図である。
【図２】チャット型即時通信アプリでユーザー登録後に会員情報を入力する端末機器の画面である。
【図３】会員への空席情報の端末機器における通知画面である。
【図４】空席情報にかかる飲食店の端末機器の詳細情報画面である。
【図５】予約・決済時の端末機器の表示画面である。
【図６】満席情報と予約可能な他店の端末機器の表示画面である。
【発明を実施するための形態】
【００２４】
本発明のキャンセル座席の即時補充システムの好適な実施形態を、以下図面にしたがって説明する。本実施形態では、飲食店３の予約のキャンセルが、予約当日等のいわゆる直前に行われた場合について説明するが、直前ではなく、予約日の数日前若しくはそれ以上前にキャンセルされたような場合にも同様に適用される。
【００２５】
図１は本発明のシステム構成図を示している。
このキャンセル座席の即時補充システムは、会員サーバ装置１と予約サーバ装置２を備えており、特に予約がとりにくい高級飲食店３の座席の予約が直前にキャンセルされ、空席が生じた際に、チャット型即時通信アプリ４を通じて、会員５の端末機器３０にその空席情報６が即時的に通知された後に、すぐに予約されて、可及的速やかに空席が補充される構成である。
【００２６】
チャット型即時通信アプリ４たるメッセンジャーとしては、ＬＩＮＥ（登録商標）が好適である。ＬＩＮＥ（登録商標）は、スマートフォン、タブレット、パソコン等の端末機器３０で、いつでも利用できるアプリケーションである。特にはスマートフォンベースなので、手元に端末機器３０があれば、会員５がどこにいてもすぐに情報を入手して閲覧できる。また、シンプルな操作性、チャット型サービスによる即時性に優れるほか、通知が画面３１に表示されるプッシュ型アプリなので、会員５が通知内容を容易に把握できる。会員５は、このＬＩＮＥ（登録商標）を予めインストールしてユーザー登録し（Ｓ１：図１中の符号で、ステップを意味する。以下同様）、所定の「友だち」になっていれば、後述する会員サーバ装置１から情報伝達自在である。以下、チャット型即時通信アプリ４として、ＬＩＮＥ（登録商標）を利用した実施形態について説明する。
【００２７】
会員サーバ装置１は、前記会員５の情報（図２参照）を記録するデータベースを管理する会員データベース１０と、飲食店３の予約の情報（図４参照）を記録するデータベースを管理する予約データベース１１、及びインターネットに接続するためのＷｅｂサーバ１２とより成る。
会員データベース１０には、会員５のメールアドレス、生年月日、性別、居住エリア、趣味趣向といった情報が記録される（図２）。ＬＩＮＥ（登録商標）４を通じて、会員５が直接的には端末機器３０を介して会員サーバ装置１に入力したデータである。会員サーバ装置１（ＬＩＮＥ（登録商標）４における「友だち」）は、例えば、ダイナースクラブ（登録商標）が主体となって、ダイナースクラブ（登録商標）会員を中心に、ＬＩＮＥ（登録商標）４の「友だち」が収集され、「友だち」となった当該会員５は、会員サーバ装置１との間で、飲食店３の空席情報６を即座に送受信できる。
【００２８】
また、図１中点線の枠で示した部分は、本キャンセル座席の即時補充システムにおけるＣＲＭ（顧客管理）システムを示している。友だちデータベース４０と、リスト抽出部４１と、送受信サーバ４とより成る。この友だちデータベース４０は、会員５が予めＬＩＮＥ（登録商標）４で「友だち」に登録・記録された者であることが前提で、上述した会員サーバ装置１との間でデータ連携されている。リスト抽出部４１は、前記友だちデータベース４０に記録されている会員５の中から、空席情報６を伝達して当該飲食店３に送客するのにふさわしい者を抽出してリストアップする機能を備えている。送受信サーバ４は、ＬＩＮＥ（登録商標）４等のメッセンジャーを指し、前記リスト抽出部４１でリストアップされた会員５に、空席情報６を伝達する手段である。
【００２９】
予約サーバ装置２は、直前キャンセルにより生じた空席情報６を飲食店３から買い取った買取情報７を記録する買取データベース８を管理する機能と、予約ページ９の設定機能を含んでいる。具体的には、買取データベース８は、飲食店３の座席の予約が直前にキャンセルされた場合、飲食店３は、予め定められた買取価格表７０に基づき、買取依頼フォーム７に必要事項を端末機器３０上で入力する。そうすると、上記した会員サーバ装置１における会員データベース１０と予約データベース１１が、前記買取データベース８と連携されて（Ｓ３参照）、予約ページ９が設定される機能が備わっている。設定された予約ページ９の一例として、「×××の空席情報が出ました。ＵＲＬをクリックして予約ができます。」との文言と、×××の店名、来店可能日時、当該飲食店の写真（図３参照）が、後述する会員５の端末機器３０の画面３１に表示される仕組みである。
【００３０】
また、この予約サーバ装置２には、ある飲食店３の空席情報６を閲覧した会員５が予約するとき、既に満席となっていて予約ができない場合に、同日に予約可能な他の複数の飲食店３・・・の情報を、端末機器３０に表示する機能も備えている。これにより、感心のある優良な会員５を他の優良レストランに送客でき、新たな顧客が獲得される。
【００３１】
会員５は、上記のように、前記ＬＩＮＥ（登録商標）４に予めユーザー登録され（Ｓ１参照）、会員サーバ装置１たる「友だち」と情報伝達自在に接続されている必要がある。なお、当該会員５は、例えばダイナースクラブ（登録商標）等の優良な会員であることが望ましい。高級飲食店３にとっても好ましいからである。
【００３２】
以下に、キャンセル座席の即時補充システムの具体例について、図１を中心に時系列で説明する。
予約のとりにくい優良な飲食店３で、予約されていた座席が直前にキャンセルされた場合、当該飲食店３から予約サーバ装置２に空席情報６が伝達され（Ｓ２）、当該空席情報６に基づいて予約ページ９が設定されると共に、空席情報６は予約サーバ装置２から会員サーバ装置１に伝達される（Ｓ３）。つづいて、友だちデータベース４０から、前記飲食店３に適した会員５がリスト抽出部４１からリストアップされ、そのリストアップされた会員５の端末機器３０にのみ、会員サーバ装置１はＬＩＮＥ（登録商標）４を通じて前記空席情報６を配信する（Ｓ４）。すると、前記抽出された会員５は、その空席情報６のメッセージを端末機器３０で即時的に受信する（Ｓ５）。必要に応じて、会員５は、ＬＩＮＥ（登録商標）４のチャット機能（トーク画面）で、会員サーバ装置１側と空席情報６のやりとりを行う（図示は省略）。
【００３３】
そして、図３に例示した空席情報６のメッセージを端末機器３０で受信し、画面３１で閲覧した会員５は、そこに記載された飲食店３の店舗ページ２０へ来訪する（Ｓ６）。図４はその店舗ページの一例を示している。次に、当該飲食店３の現在の予約状況を確認する（Ｓ７）。会員５が図５の予約・決済ページ２１にしたがって予約しようとしたが、既に満席となっていた場合は、図６に示したように、同日に予約可能な他の複数の飲食店３の空席情報６・・・が画面３１に併せて表示される（Ｓ８）。
【００３４】
空席が未だあって予約できる場合は、図５の店舗表示画面でログインする（Ｓ９）。ログインできない場合は、上記した図６の他店表示画面に進む（Ｓ８）。ログインできた場合は、予約と決済を行う（Ｓ１０）。図５に示した予約・決済ページ２１上で予約する際、例えばダイナース（登録商標）カード等のクレジットカード１５によってオンライン決済する。
かくして、直前にキャンセルされた飲食店３の座席は、即時的に補充される。飲食店３には予約した時間に会員５が来店されることとなる（Ｓ１１）。
【００３５】
上述したデータは飲食店３にとって有益である。そのため、事後的に会員５のスコアリングが行われる。すなわち、会員５の店舗ページ２０への訪問、予約完了の有無等が分析され、その会員５の情報が前記予約された飲食店３の情報に紐付けされる。
【００３６】
なお、上述した実施形態のほか、会員サーバ装置１を別途設けず、予約サーバ装置２が会員データベース１０と予約データベース１１を含む構成で、会員５は、ＬＩＮＥ（登録商標）４を通じて、直接予約サーバ装置２から飲食店３の空席情報６が即時通知される実施形態も採用可能である。
【００３７】
また、上述した当該キャンセル座席の即時補充システムは、前記飲食店３の座席の予約に限らず、例えば、ゴルフ、美容院、理髪店、マッサージ店、列車、飛行機、船舶、自動車、映画館、劇場、コンサート会場、花見会場、アトラクション、スタジアム、競技場、花火会場、祭り、パレード、その他の予約が生じる各座席の予約にも同様に実施できる。さらに、上記した飲食店３の座席の予約が、ホテル、旅館、病院、公営又は私営の施設、その他の各種部屋を予約するケースであっても同様に実施される。
【００３８】
以上に本発明の実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００３９】
１      会員サーバ装置
２      予約サーバ装置
３      飲食店
４      チャット型即時通信アプリ
５      会員
６      空席情報
７      買取情報
８      買取データベース
９      予約ページ
１０    会員データベース
１１    予約データベース
１２    Ｗｅｂサーバ
１５    クレジットカード
２０    店舗ページ
２１    予約・決済ページ
３０    端末機器
【図１】
2018181241.tif 000003
【図２】
2018181241.tif 000004
【図３】
2018181241.tif 000005
【図４】
2018181241.tif 000006
【図５】
2018181241.tif 000007
【図６】
2018181241.tif 000008